(57)【要約】【課題】ガスが検知されたことを適切に使用者に対して報知することを可能とすること。【解決手段】ガスを検知し、検知されたガスの量を検出し、検出された量に応じて危険報知を行い、危険報知を解除するための危険報知解除の入力を受け付け、使用者から危険報知解除の入力がなされた場合であっても、検出された量が閾値以下でなければ、危険報知を継続するように制御する。【選択図】図１
2009252141.tif 000002
【特許請求の範囲】
【請求項１】
ガスを検知するガス検知部と、
前記ガス検知部によって検知されたガスの量を検出する解析部と、
前記解析部によって検出された量に応じて危険報知を行う報知部と、
前記報知部による危険報知を解除するための危険報知解除の入力を受け付ける入力部と、
使用者から危険報知解除の入力がなされた場合であっても、前記解析部によって検出された量が閾値以下でなければ、前記報知部における危険報知を継続するように制御する制御部と、
を備える端末装置。
【請求項２】
前記解析部は、空気中の窒素濃度を検出し、予め記憶する窒素基準濃度との差分を用いて前記検知されたガスの量を検出する、請求項１に記載の端末装置。
【請求項３】
自装置の現在の位置情報を取得する位置取得部と、
前記位置情報を付加した通知情報を通知サーバに対し通信路を介して送信する通知部と、
を更に備える請求項１又は２に記載の端末装置。
【請求項４】
前記報知部は、前記危険報知を行う場合、現在設定されているスピーカーの音量にかかわらず最大の音量にて危険報知を行う、請求項１〜３のいずれかに記載の端末装置。
【請求項５】
ガスを検知するガス検知部と、前記ガス検知部によって検知されたガスの量を検出する解析部と、危険報知を解除するための危険報知解除の入力を受け付ける入力部と、を備える端末装置が、前記ガス検知部によって検知されたガスの量を検出するステップと、
前記端末装置が、検出された量に応じて危険報知を行うステップと、
前記端末装置が、危険報知解除の入力を受け付けるステップと、
前記端末装置が、使用者から危険報知解除の入力がなされた場合であっても、検出された量が閾値以下でなければ、前記危険報知を継続するステップと、
を含む報知方法。
【発明の詳細な説明】
【技術分野】
【０００１】
本発明は、端末装置及び報知方法に関する。
【背景技術】
【０００２】
従来、空気中の物質成分やガスを検知し、それを使用者に対して報知する移動通信端末装置が提案されている（特許文献１参照）。また、ＧＰＳ機能を備えた移動通信端末装置が、様々なガスや臭気を検知可能なガスセンサを備え、閾値以上のガス成分量を検知した時には、そのガス検知情報と現在位置情報を、消防署や警察署、ガス会社など、予め登録した機関へ自動通報する技術も提案されている（特許文献２参照）
【特許文献１】特開２００２−６４５９５号公報
【特許文献２】特開２００７−１４２８３５号公報
【発明の開示】
【発明が解決しようとする課題】
【０００３】
しかしながら、これまでの技術では、ガスを検知し通報することが目的とされてきた。そのため、従来の技術では、報知があった後は、使用者がその報知があったことを忘れることなく行動を行わなければならず、使用者が報知に適切に反応できなかった場合にこれをフォローする技術は提案されてこなかった。例えば、この報知が深夜に発生した場合などは、使用者が報知を解除するスイッチ等を操作した後に再び寝込んでしまうなどのおそれがあった。また、使用者が報知を解除した後に、ガスによって意識を失ってしまうなどのおそれもあった。
上記事情に鑑み、本発明はガスが検知されたことを適切に使用者に対して報知することを可能とする装置を提供することを目的としている。
【課題を解決するための手段】
【０００４】
本発明の一態様は、ガスを検知するガス検知部と、ガス検知部によって検知されたガスの量を検出する解析部と、解析部によって検出された量に応じて危険報知を行う報知部と、報知部による危険報知を解除するための危険報知解除の入力を受け付ける入力部と、使用者から危険報知解除の入力がなされた場合であっても、解析部によって検出された量が閾値以下でなければ、報知部における危険報知を継続するように制御する制御部と、を備える端末装置である。
【０００５】
本発明の一態様において、解析部は、空気中の窒素濃度を検出し、予め記憶する窒素基準濃度との差分を用いて前記検知されたガスの量を検出するように構成されても良い。
本発明の一態様は、自装置の現在の位置情報を取得する位置取得部と、位置情報を付加した通知情報を通知サーバに対し通信路を介して送信する通知部と、を更に備えるように構成されても良い。
本発明の一態様において、報知部は、危険報知を行う場合、現在設定されているスピーカーの音量にかかわらず最大の音量にて危険報知を行うように構成されても良い。
【０００６】
本発明は、コンピュータを、上述した端末装置として動作させるためのコンピュータプログラムとして特定されても良い。また、本発明は、上述した端末装置が行う方向指示方法として特定されても良い。
【発明の効果】
【０００７】
本発明により、ガスが検知されたことを適切に使用者に対して報知することが可能となる。
【発明を実施するための最良の形態】
【０００８】
端末装置１は、バスによって接続されたＣＰＵや記憶装置や入出力装置を備え、記憶装置に記憶されたプログラムをＣＰＵが実行することによって動作する。端末装置１は、例えば携帯電話装置、ＰＤＡ（Personal Data Assistance）、等の携帯型コンピュータや、携帯型の専用装置として構成される。図１は、端末装置１の機能構成を示す概略ブロック図である。端末装置１は、ガスセンサ１１、解析部１２、報知部１３、制御部１４、位置取得部１５、通知部１６、及び入力部１７を備える。なお、端末装置１の一部又は全部は、ＣＰＵがプログラムを実行することによってではなく、専用のハードウェアを用いて実現されても良い。
【０００９】
ガスセンサ１１は、複数種のガスを検知する。ガスセンサ１１が検知するガスは、一酸化炭素、硫化水素、及び無酸素気体（窒素、二酸化炭素）である。ガスセンサ１１は、例えば一酸化炭素を検知するガスセンサ、硫化水素を検知するガスセンサ、窒素を検知するガスセンサ、二酸化炭素を検知するガスセンサを用いて構成される。ガスセンサ１１は、ガスを検知すると、ガスが検知されたことを制御部１４へ通知する。
【００１０】
図２は、ガスセンサ１１の設置例を示す図である。端末装置１が携帯電話機として構成される場合、ガスセンサ１１が空気を取り込む吸気部は、通話口１１０に設けられても良い。このように構成されることにより、端末装置１の筐体にガスセンサ１１用の孔を、通話口の他に別途設ける必要がなくなる。
【００１１】
解析部１２は、ガスセンサ１１によって検知されたガスを解析し、三大ガスであるか否か判断する。三大ガスとは、一酸化炭素、硫化水素、無酸素気体である。解析部１２は、ガスが三大ガスのいずれかであった場合には、このガスの量を検出する。ガスの量の単位は、例えばｍｇ／立方メートルとして表されても良いし、ｐｐｍとして表されても良いし、体積比のパーセンテージとして表されても良いし、重量比のパーセンテージとして表されても良い。解析部１２は、制御部１４から量の検出を指示されたガスについて量の検出を行う。解析部１２は、ガスの量を検出すると、その検出結果を制御部１４へ通知する。
【００１２】
次に、解析部１２がガスの量を検出する具体的な処理について説明する。解析部１２は、まず、空気中の窒素濃度を検出する。解析部１２は、この検出結果と、予め記憶する窒素基準濃度との差分を、検出対象のガスの濃度として算出する。そして、解析部１２は、この濃度を用いて、所定の単位に基づいた値を算出し、制御部１４に通知する。なお、解析部１２は、窒素基準濃度を、設計者や使用者によって予め設定された値として記憶しても良い。また、解析部１２は、端末装置１の電源が投入された際の窒素濃度を検出し、この値を窒素基準濃度として記憶しても良い。
【００１３】
報知部１３は、各種の出力装置を用いて構成され、危険報知を行う。危険報知とは、使用者に対して危険を知らせるための報知処理である。報知部１３は、例えばスピーカーを用いて構成されても良い。この場合、報知部１３は、制御部１４からの指示に従って、スピーカーからアラーム音や警告音声を出力する。アラーム音とは、例えばサイレンの音など、使用者が危険を察知可能な音である。警告音声とは、例えば「ガスが漏れています。直ちに換気を行うか避難を行ってください。」という内容の音声など、使用者が危険を察知可能な音声である。また、報知部１３は、画像表示装置を用いて構成されても良い。画像表示装置とは、画像や文字の表示を行う装置であり、例えば液晶ディスプレイ、有機ＥＬディスプレイ等である。この場合、報知部１３は、制御部１４からの指示に従って、画像表示装置の画面に、警告メッセージや警告画像を出力する。警告メッセージとは、例えば「ガスが漏れています。直ちに換気を行うか避難を行ってください。」という内容の文字など、使用者が危険を察知可能なメッセージである。警告画像とは、ドクロの画像や、黒地に黄色のエクスクラメーションを付した画像など、使用者が危険を察知可能な画像である。
【００１４】
制御部１４は、ガスセンサ１１によって検知されたガスの量を検出することを解析部１２に指示する。また、制御部１４は、解析部１２によって検出されたガスの量に応じて、報知部１３に対し報知を行うように指示する。制御部は、各ガスに応じた閾値を有し、検出されたガスの量が、そのガスに対応する閾値よりも大きい場合は、報知部１３に対し報知を行うことを指示する。以下、閾値の具体例を示す。制御部１４は、一酸化炭素については、その量が５０ｍｇ／立方メートルより大きいか、５０ｐｐｍよりも大きい場合には、報知を行うように報知部１３に指示する。制御部１４は、硫化水素については、その量が１０ｍｇ／立方メートルより大きいか、０．０００４１ｐｐｍよりも大きい場合には、報知を行うように報知部１３に指示する。制御部１４は、窒素については、その体積比の濃度が７８％よりも大きい場合には、報知を行うように報知部１３に指示する。制御部１４は、二酸化炭素については、その体積比の濃度が４％よりも大きい場合には、報知を行うように報知部１３に指示する。なお、上述した値は、岩手大学工学部から平成１５年３月に発行された安全マニュアル第２版に基づく値であり、これらの値は上述した値に限定されない。
【００１５】
制御部１４は、報知部１３に報知を行うように指示した後、所定時間（例えば１分、１０分、１５分など）の間に使用者から入力部１７を用いた危険報知解除の入力が無い場合には、位置情報を付加した通知情報を作成する。制御部１４は、このとき、位置取得部１５から位置情報を取得する。制御部１４は、作成した通知情報を通知部１６に渡し、通知サーバに送信することを指示する。通知サーバとは、消防署、警察署、ガス供給会社、ガス管理会社などに設けられたサーバであり、通信路を介して端末装置１と通信可能な装置である。通知サーバは、端末装置１から通知情報を受信すると、管理者に対し、通知情報に含まれていた位置情報とともに、ガスが検知されたことを報知する。
【００１６】
位置取得部１５は、ＧＰＳ衛星から受信される信号に基づいて現在の位置情報を取得する。位置情報とは、端末装置１が現在位置する場所の座標である。位置取得部１５は、取得した位置情報を制御部１４へ渡す。
通知部１６は、制御部１４の指示に従い、公衆回線網やインターネットワークなどの通信路を介して、通知情報を通知サーバに対し送信する。
【００１７】
入力部１７は、ボタンやテンキー等の入力装置を用いて構成される。入力部１７は、使用者が端末装置１に対して危険報知解除の命令を入力する為の装置である。例えば、使用者は、報知部１３によって危険報知がなされている間に、入力部１７を操作することによって、危険報知解除を端末装置１に入力することができる。
【００１８】
次に、端末装置１の動作手順について説明する。図３及び図４は、端末装置１の動作手順を示すフローチャートである。ガスセンサ１１がガスを検知するまで、制御部１４は繰り返しガスセンサ１１の監視を行う（Ｓ０１−ＮＯ）。ガスセンサ１１がガスを検知すると（Ｓ０１−ＹＥＳ）、解析部１２は、検知されたガスについて解析を行う（Ｓ０２）。検知されたガスが、三大ガスのいずれでもない場合には、Ｓ０１の処理に戻る（Ｓ０３−ＮＯ）。一方、検知されたガスが三大ガスのいずれかである場合には（Ｓ０３−ＹＥＳ）、解析部１２はその量を検出する。検出されたガスの量が、そのガスに対応する閾値以下である場合は（Ｓ０４−ＮＯ，Ｓ０５−ＮＯ，Ｓ０６−ＮＯ）、Ｓ０１の処理に戻る。一方、検出されたガスの量が、そのガスに対応する閾値よりも大きい場合は（Ｓ０４−ＹＥＳ，Ｓ０５−ＹＥＳ，Ｓ０６−ＹＥＳ）、制御部１４は、報知部１３に対し報知を行うことを指示する。報知部１３は、この指示に従って、音声や画像等の出力によって報知を行う（Ｓ０７）。
【００１９】
その後、使用者が入力部１７を用いて危険報知解除の命令を入力した場合（Ｓ０８−ＹＥＳ）、この入力に基づき制御部１４は入力部１７による危険報知解除（切ボタン）の自動解除を行い、Ｓ０１以降の処理を実行する（Ｓ０８−ＹＥＳ）。言い換えると、制御部１４は、報知部１３に対し報知を継続することを指示しながら、Ｓ０１以降の処理を実行する。従って、たとえ危険報知解除が入力されたとしても、Ｓ０１の処理においてガスが検知されないか、Ｓ０３の処理において三大ガスでないと判断されるか、Ｓ０４〜Ｓ０６の処理において検出されたガスの量が閾値以下とならなければ、危険報知が継続される。
【００２０】
これに対し、使用者が入力部１７を用いて危険報知解除の命令をしない間は、制御部１４は、報知部１３による危険報知（例えばアラーム警告）を継続させる（Ｓ０９）。入力部１７による危険報知解除の入力が無いまま所定時間を経過すると（Ｓ１０）、制御部１４は、通知情報を作成し、通知部１６に対し通知を行うことを指示する（Ｓ１１）。そして、制御部１４は、Ｓ０１以降の処理を行う。
【００２１】
端末装置１では、入力部１７を用いて危険報知解除の入力がなされない場合は、制御部１４及び報知部１３は、所定時間が経過するまで危険報知を継続する。さらに、所定時間経過後には、制御部１４及び通知部１６が通知を実行する。そのため、もし使用者が消防署やガス会社などへ連絡を行うことができない状況であったとしても、自動的に通知がなされ、適切な対処を行うことが可能となる。
【００２２】
また、もし危険報知解除の入力がなされたとしても、その後改めてガスセンサ１１、解析部１２、制御部１４等が処理を行い、ガスの量が閾値を超えたままである場合には、制御部１４及び報知部１３は再度の危険報知を実行する。そのため、使用者が、誤って危険報知解除を行った場合や、無意識のうちに危険報知解除を行ったしまった場合や、危険報知解除を行った後に眠ってしまった場合（意識を失った場合）などでも、再び危険報知が実行され、所定時間経過後には通知処理が実行される。従って、このような場合にも、使用者に対し再び危険報知を行うことによって、適切に報知を行うことが可能となる。そして、使用者は再び危険報知に気づき、又は通知先において、適切な対処を行うことが可能となる。
【００２３】
また、端末装置１では、解析部１２が窒素濃度に基づいてガスの量を検出する。そのため、ガスの種類に応じた解析装置をそれぞれ用意することなく、各ガスの量を検出することが可能となる。
【００２４】
＜変形例＞
端末装置１は、ガスセンサ１１を備えず、解析部１２が常に定期的に各ガスの濃度を検出し、その検出結果を制御部１４に通知するように構成されても良い。
解析部１２は、窒素濃度を検出する方法ではなく、公知の他の方法によって実現されても良い。
報知部１３は、音量の変更をソフトウェアにて行うことができるように構成されても良い。そして、報知部１３は、危険報知を行う場合、現在設定されているスピーカーの音声にかかわらず最大の音量にて危険報知を行うように構成されても良い。
【００２５】
上述した実施例では、ガスセンサ１１で検知するガスの種類や、解析部１２で解析を行うガスの種類は、厚生労働省労働基準局が平成１９年６月１８日に発行した基安労発第０６１８００１号に基づいて、一酸化炭素、硫化水素、及び無酸素気体（窒素、二酸化炭素）としたが、他のガスを処理対象とするように構成されても良い。他のガスとしては、可燃性ガス、酸素、二酸化窒素、二酸化硫黄、塩素、塩化水素、アンモニア、一酸化窒素、オゾン、シアン化水素、水素、フッ素、フッ化水素、ホスフィン、ホスゲンなどがある。また、無酸素気体の他の例として、アルゴン、プロパン、フロンなどがある。
【００２６】
通知部１６は、電話回線などを介して、１１９番へ自動発信し、自動音声によって通知情報を消防署へ連絡しても良い。この場合、通知部１６は、音声合成装置を備えて、位置情報の内容（座標など）を音声によって１１９番の対話者に連絡を行っても良い。
【００２７】
上述した実施形態における端末装置１の一部、例えば、制御部１４の機能をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００２８】
【図１】端末装置の機能構成を示す概略ブロック図である。
【図２】ガスセンサの設置例を示す図である。
【図３】端末装置の動作手順を示すフローチャートである。
【図４】端末装置の動作手順を示すフローチャートである。
【符号の説明】
【００２９】
１…端末装置，  １１…ガスセンサ（ガス検知部），  １２…解析部，１３…報知部，  １４…制御部，  １５…位置取得部，  １６…通知部，  １７…入力部，  １１０…通話口
【図１】
2009252141.tif 000003
【図２】
2009252141.tif 000004
【図３】
2009252141.tif 000005
【図４】
2009252141.tif 000006